(57)【要約】【課題】  本発明の課題は、確実に覚醒させる目覚し時計を提供することである。【解決手段】  覚醒する時刻を設定して保持する覚醒時刻設定手段と、現在時刻を含む時間情報を出力する時計手段と、覚醒刺激開始指示を発行する覚醒刺激開始手段と、人間の生体情報を検出して、記録する生体情報検出手段と、生体情報の波形と周波数から、覚醒情報を抽出して記録する覚醒情報抽出手段と、前記覚醒情報が所定の条件に達したら、覚醒刺激停止指示を発行する覚醒刺激停止手段と、覚醒刺激開始指示を受けて覚醒刺激を開始して、覚醒刺激停止指示を受けて覚醒刺激を停止する覚醒刺激手段と、を備えた覚醒検知目覚時計であって、覚醒する時刻になったら、覚醒刺激手段が、睡眠中の人間に覚醒刺激をを開始して、この人間から検出した生体情報の覚醒情報が所定の条件に達したら、覚醒刺激停止手段は、覚醒刺激手段を停止させることを特徴とする覚醒検知目覚時計である。【選択図】図１
2007040859.tif 000002
【特許請求の範囲】
【請求項１】
覚醒する時刻を設定して保持する覚醒時刻設定手段と、
現在時刻を含む時間情報を出力する時計手段と、
覚醒刺激開始指示を発行する覚醒刺激開始手段と、
人間の生体情報を検出して、記録する生体情報検出手段と、
生体情報の波形と周波数から、覚醒情報を抽出して記録する覚醒情報抽出手段と、
前記覚醒情報が所定の条件に達したら、覚醒刺激停止指示を発行する覚醒刺激停止手段と、
覚醒刺激開始指示を受けて覚醒刺激を開始して、覚醒刺激停止指示を受けて覚醒刺激を停止する覚醒刺激手段と、
を備えた覚醒検知目覚時計であって、
覚醒する時刻になったら、覚醒刺激手段が、覚醒刺激開始指示を受領して、睡眠中の人間に覚醒刺激を与えることを開始して、覚醒刺激停止手段は、覚醒刺激を受けている人間から検出した生体情報の覚醒情報が所定の条件に達したら、覚醒刺激停止指示を発行して、覚醒刺激手段を停止させる
ことを特徴とする覚醒検知目覚時計。
【請求項２】
覚醒する時刻を設定して保持する覚醒時刻設定ステップと、
現在時刻を含む時間情報を出力する時計ステップと、
覚醒する時刻になったら、睡眠中の人間を刺激する覚醒刺激ステップと、
人間の生体情報を検出して、生体情報の波形と周波数から、覚醒情報を抽出して記録する覚醒情報抽出ステップと、
前記覚醒情報が所定の条件に達したら、覚醒刺激停止指示を発行する覚醒刺激停止ステップと、
覚醒刺激停止指示を受けて覚醒刺激を停止する覚醒刺激ステップと、
を含んだ手順でなされることを特徴とする覚醒を検知する目覚し方法。
【請求項３】
コンピュータに組込むことによって、コンピュータを請求項１に記載の覚醒検知目覚時計として動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、睡眠時の人の生体情報を検出して、覚醒状態を検知することで、確実に覚醒を約束する目覚時計及び目覚し方法に関するものである。
【背景技術】
【０００２】
従来から、目覚し時計において、設定した時刻にアラーム音を鳴動させると同時に、様々な工夫を加えて、確実に覚醒させる仕組みが組み込まれている。
【０００３】
たとえば、特許文献１には、心地の良い覚醒を促すために、覚醒促進物質を放出して脳を刺激させてから、アラーム音を発する技術が開示されている。（従来技術１）
【特許文献１】特許第６３４１６４号公報（２頁、図１）特許文献２には、遊戯具のパチンコ台を組み込んだからくり時計により、娯楽性を持った音を発する技術が開示されている。（従来技術２）
【特許文献２】実公平７−２５７４１号公報（２〜３頁、図１〜６）
【発明の開示】
【発明が解決しようとする課題】
【０００４】
しかし、従来技術１や従来技術２では、設定時刻にアラーム音の停止操作を手動にて行うために、確実に覚醒しておらずに、無意識にアラーム音を停止させて、再び、睡眠状態に入ってしまい、目覚まし本来の役割を発揮しないという問題があった。
【０００５】
本発明はこのような従来技術を考慮してなされたものであって、本発明の課題は、確実に覚醒させる目覚し時計を提供することである。
【課題を解決するための手段】
【０００６】
本発明は、以下のような解決手段により、前記課題を解決する。すなわち、請求項１の発明は、覚醒する時刻を設定して保持する覚醒時刻設定手段と、現在時刻を含む時間情報を出力する時計手段と、覚醒刺激開始指示を発行する覚醒刺激開始手段と、人間の生体情報を検出して、記録する生体情報検出手段と、生体情報の波形と周波数から、覚醒情報を抽出して記録する覚醒情報抽出手段と、前記覚醒情報が所定の条件に達したら、覚醒刺激停止指示を発行する覚醒刺激停止手段と、覚醒刺激開始指示を受けて覚醒刺激を開始して、覚醒刺激停止指示を受けて覚醒刺激を停止する覚醒刺激手段と、を備えた覚醒検知目覚時計であって、覚醒する時刻になったら、覚醒刺激手段が、覚醒刺激開始指示を受領して、睡眠中の人間に覚醒刺激を与えることを開始して、覚醒刺激停止手段は、覚醒刺激を受けている人間から検出した生体情報の覚醒情報が所定の条件に達したら、覚醒刺激停止指示を発行して、覚醒刺激手段を停止させることを特徴とする覚醒検知目覚時計である。
【０００７】
したがって、覚醒検知目覚時計は、睡眠中の人間が覚醒する（目覚める）まで、刺激（アラーム音）を継続できる。
【０００８】
請求項２の発明は、覚醒する時刻を設定して保持する覚醒時刻設定ステップと、現在時刻を含む時間情報を出力する時計ステップと、覚醒する時刻になったら、睡眠中の人間を刺激する覚醒刺激ステップと、人間の生体情報を検出して、生体情報の波形と周波数から、覚醒情報を抽出して記録する覚醒情報抽出ステップと、前記覚醒情報が所定の条件に達したら、覚醒刺激停止指示を発行する覚醒刺激停止ステップと、覚醒刺激停止指示を受けて覚醒刺激を停止する覚醒刺激ステップと、を含んだ手順でなされることを特徴とする覚醒を検知する目覚し方法である。
【０００９】
請求項３の発明は、コンピュータに組込むことによって、コンピュータを請求項１に記載の覚醒検知目覚時計として動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、睡眠中の人間が覚醒したことを検出するまで鳴動を続けるために、睡眠から確実に覚醒させることが可能となる。
【発明を実施するための最良の形態】
【００１２】
以下、図面等を参照しながら、本発明の実施の形態について、更に詳しく説明する。図１は、覚醒検知目覚時計の詳細な構成図である。覚醒検知目覚時計１００は、生体情報検出手段１１０と、覚醒情報抽出手段１２０と、時計手段１３０と、覚醒時刻設定手段１４０と、覚醒刺激手段１５０と、覚醒刺激開始手段１６０と、覚醒刺激停止手段１６５とを備える。
【００１３】
生体情報検出手段１１０は、人間の生体情報（たとえば、脳波データ）を検出して、記録する。覚醒情報抽出手段１２０は、生体情報（たとえば、脳波データ）の波形と周波数から、覚醒情報（たとえば、α（アルファー）波成分）を抽出して記録する。時計手段１３０は、現在時刻を含む時間情報を出力する。覚醒時刻設定手段１４０は、人間が覚醒する時刻（たとえば、目覚まし時刻）を設定して保持する。覚醒刺激手段１５０は、睡眠中の人間を刺激（たとえば、アラーム音）する。覚醒刺激開始手段１６０は、覚醒刺激開始指示を発行する。覚醒刺激停止手段１６５は、前記覚醒情報が所定の条件（たとえば、所定の基準値以下）に達したら、覚醒刺激停止指示を発行する。
【００１４】
生体情報検出手段１１０はセンサーである。覚醒刺激手段１５０と、音響スピーカーである。覚醒情報抽出手段１２０と、時計手段１３０と、覚醒時刻設定手段１４０と、覚醒刺激開始手段１６０と、覚醒刺激停止手段１６５とは、コンピュータプログラムである。
【００１５】
図２は、１００のフローチャートである。
（１）覚醒時刻設定手段１４０は、目覚まし時刻を設定して保持する。（ステップＳ１１０）
（２）時計手段１３０が出力する時間情報の現在時刻と、目覚まし時刻を比較する。目覚まし時刻になったら、次のステップに進む。現在時刻が目覚まし時刻以前であれば、このステップの先頭に戻る。（ステップＳ１２０）
（３）覚醒刺激開始手段１６０は、覚醒刺激開始指示を発行して、覚醒刺激手段１５０は、覚醒刺激開始指示を受領して、アラーム音を発する。（ステップＳ１３０）
（４）生体情報検出手段１１０は、脳波データを検出して、記録する。（ステップＳ１４０）
（５）覚醒情報抽出手段１２０は、脳波データの波形と周波数から、周波数が８から１３Hz未満のα波成分を抽出して記録する。（ステップＳ１５０）
（６）α波成分の波形（振幅）と所定の基準値とを比較する。α波成分の振幅が所定の基準値を下回れば、次のステップに進む。α波成分の振幅が所定の基準値以上であれば、ステップ（４）に戻る。（ステップＳ１６０）
（７）覚醒刺激停止手段１６５は、覚醒刺激停止指示を発行して、覚醒刺激手段１５０は、覚醒刺激停止指示を受領して、アラーム音を止める。（ステップＳ１７０）
【００１６】
なお、アラーム音の代わりに、香料や、風や、光の点滅や、温度変化などの生体を刺激するもので、良い。
【００１７】
また、α波成分に脳波データのβ（ベータ）波成分（１３から４０Hz未満）を併用しても、同様の効果が得られる。
【００１８】
以上詳しく説明したように、本発明によれば、目覚し時計は、設定した時刻に鳴動して、人が確実に覚醒したことを検出するまで鳴動を続けるために、確実に覚醒させることことが可能となった。
【図面の簡単な説明】
【００１９】
【図１】覚醒検知目覚時計の構成図
【図２】覚醒検知目覚時計のフローチャート
【符号の説明】
【００２０】
１００  覚醒検知目覚時計
１１０  生体情報検出手段
１２０  覚醒情報抽出手段
１３０  時計手段
１４０  覚醒時刻設定手段
１５０  覚醒刺激手段
１６０  覚醒刺激開始手段
１６５  覚醒刺激停止手段
【図１】
2007040859.tif 000003
【図２】
2007040859.tif 000004